(57)【特許請求の範囲】
【請求項１】
第１の方向から、第１の方向とは反対方向の第２の方向へ一列に配列された発光素子と、
前記発光素子の中央に位置する初期発光位置から発光位置を順次移動させ調律すべき楽音信号の周期と標準周期との差の値が所定値に達した状態で発光位置を停止させるメーター表示手段と、
前記楽音信号の周期が前記標準周期より長いことを検出することにより発光位置を前記第２の方向へ順次移動させ、前記楽音信号の周期が前記標準周期より短いことを検出することにより、発光位置を前記第１の方向へ順次移動させるストロボ表示手段と、
前記楽音信号の周期が前記標準周期より長いことを検出することにより、前記メーター表示手段の点灯する発光位置を前記初期発光位置より前記第２の方向側へ表示させるとともに、前記ストロボ表示手段の点灯させる発光位置を前記初期発光位置より前記第１の方向側へ表示させる低状態表示手段と、
前記楽音信号の周期が前記標準周期より短いことを検出することにより、前記メーター表示手段の点灯する発光位置を前記初期発光位置より前記第１の方向側へ表示させるとともに、前記ストロボ表示手段の点灯させる発光位置を前記初期発光位置より前記第２の方向側へ表示させる高状態表示手段と、
前記楽音信号の周期が前記標準周期と一致していることを検出することにより、前記メーター表示手段の点灯させる発光位置を前記初期発光位置に表示させるとともに、前記ストロボ表示手段の点灯させる発光位置を直前の発光位置から前記初期発光位置の方向へ順次移動させ前記初期発光位置に達した状態で停止させる一致状態表示手段と、
を備えることを特徴とする調律器。
【請求項２】
請求項１に記載の調律器であって、
前記発光素子は、少なくとも第１の色と、第１の色とは異なる第２の色を発光可能であり、
前記メーター表示手段は、前記第１の色で前記発光素子を発光させ、
前記ストロボ表示手段は、前記第２の色で前記発光素子を発光させる
ことを特徴とする調律器。
【発明の詳細な説明】
【技術分野】
【０００１】
この発明は楽器の調律をする場合に用いる調律器に関する。
【背景技術】
【０００２】
楽器用調律器は一般に、特許文献１に記載されているように、マイクロコンピュータで構成され、マイクロコンピュータにより調律しようとする楽器音の基本周期を検出する基本周期検出手段と、ピッチ誤差算出手段とを備え、調律しようとする楽器の音のピッチ誤差を表示する。ピッチ誤差の表示方法には、例えば、特許文献２や特許文献３に記載されている方法がある。
【０００３】
特許文献２に記載の調律器は、複数の発光素子を一列に配列し、その配列の中央の発光素子を０セント表示素子、左端の発光素子を−５０セント表示素子、右端の発光素子を＋５０セント表示素子として、どの発光素子が発光するかによって０セントからのピッチ誤差を表示する。
【０００４】
特許文献３に記載の調律器は、一列に配列された発光素子を予め定めた複数発光させ、楽音信号の周期が標準周期より長いことを検出することにより、その発光位置を一方側から他方側へ移動させることで楽音信号の周波数が標準周波数より低い状態にあることを表示する。楽音信号の周期が標準周期より短いことを検出することにより、その発光位置を他方側から一方側へ移動させることで楽音信号の周波数が標準周波数より高い状態にあることを表示する。楽音信号の周期が標準周期と一致していることを検出することにより、その発光位置の移動を停止させることで調律が正しく行われていることを表示する。
【０００５】
特許文献２に記載されているようなピッチ誤差の表示方法は一般にメーター表示と呼ばれており、特許文献３に記載されているようなピッチ誤差の表示方法は一般にストロボ表示と呼ばれている。メーター表示ではピッチ誤差の方向や大きさを直感的に把握しやすく、ストロボ表示ではピッチが正確に一致しているかを確認しやすいという傾向があるが、いずれを使用するかは目的とする奏法や利用者の好みにより適宜選択できることが望ましい。
【０００６】
また、従来から、メーター表示とストロボ表示の両方を同時に表示することを１台で実現した調律器も存在している。この種の調律器では、一列に配列された発光素子を二本用いて、一本はメーター表示によりピッチ誤差を表示し、もう一本はストロボ表示によりピッチ誤差を表示する。
【先行技術文献】
【特許文献】
【０００７】
【特許文献１】特開２００３−０９９０３４号公報
【特許文献２】特開２０００−０６６６６７号公報
【特許文献３】特開平８−０５０４８４号公報
【発明の概要】
【発明が解決しようとする課題】
【０００８】
しかしながら、メーター表示とストロボ表示の両方を備えた従来の調律器では、発光素子を二列必要とするため、ピッチ誤差を表示するために必要とする領域の面積が広くなり調律器の小型化を妨げる一因となっていた。また、部品点数が多くなるため、このような調律器を安価に実現することが難しかった。
【０００９】
本発明はこのような点に鑑みてなされたものであり、一列に配列された一本の発光素子を用いてメーター表示とストロボ表示の両方を同時に表示することで、利用者の利便性や視認性を維持しつつ小型化することができる調律器を提供することを目的とする。
【課題を解決するための手段】
【００１０】
上記の課題を解決するために、本発明の調律器は、発光素子とメーター表示手段とストロボ表示手段と低状態表示手段と高状態表示手段と一致状態表示手段を備える。発光素子は、第１の方向から、第１の方向とは反対方向の第２の方向へ一列に配列される。メーター表示手段は、発光素子の中央に位置する初期発光位置から発光位置を順次移動させ調律すべき楽音信号の周期と標準周期との差の値が所定値に達した状態で発光位置を停止させる。ストロボ表示手段は、楽音信号の周期が標準周期より長いことを検出することにより発光位置を第２の方向へ順次移動させ、楽音信号の周期が標準周期より短いことを検出することにより、発光位置を第１の方向へ順次移動させる。低状態表示手段は、楽音信号の周期が標準周期より長いことを検出することにより、メーター表示手段の点灯する発光位置を初期発光位置より第２の方向側へ表示させるとともに、ストロボ表示手段の点灯させる発光位置を初期発光位置より第１の方向側へ表示させる。高状態表示手段は、楽音信号の周期が標準周期より短いことを検出することにより、メーター表示手段の点灯する発光位置を初期発光位置より第１の方向側へ表示させるとともに、ストロボ表示手段の点灯させる発光位置を初期発光位置より第２の方向側へ表示させる。一致状態表示手段は、楽音信号の周期が標準周期と一致していることを検出することにより、メーター表示手段の点灯させる発光位置を初期発光位置に表示させるとともに、ストロボ表示手段の点灯させる発光位置を直前の発光位置から初期発光位置の方向へ順次移動させ初期発光位置に達した状態で停止させる。
【００１１】
好ましくは、発光素子は、少なくとも第１の色と、第１の色とは異なる第２の色を発光可能であるとする。メーター表示手段は、第１の色で発光素子を発光させる。ストロボ表示手段は、第２の色で発光素子を発光させる。
【発明の効果】
【００１２】
本発明の調律器によれば、一列に配列された一本の発光素子を用いてメーター表示とストロボ表示の両方を同時に表示することができるため、利用者の利便性や視認性を維持しつつ小型化することができる。
【図面の簡単な説明】
【００１３】
【図１】本発明の調律器２の構成を示すブロック図。
【図２】本発明の調律器２の表示方法の一例を示す図。
【図３】変形例の調律器２’の構成を示すブロック図。
【発明を実施するための形態】
【００１４】
以下、本発明の実施の形態について、詳細に説明する。なお、同じ機能を有する構成部には同じ番号を付し、重複説明を省略する。
【実施例１】
【００１５】
図１を参照して、本発明の実施例１の調律器２の動作を詳細に説明する。図１は本実施例の調律器２の構成を示すブロック図である。調律器２は、マイクロコンピュータなどから構成され、調律器２の全体の動作を司る。マイクロコンピュータには、調律器２全体の動作制御のプログラムなどが格納されたリード・オンリー・メモリや、プログラムを実行する際に必要なワーキング・エリアとしてのランダム・アクセス・メモリ、およびクロック発振器や時間計測のタイマ機能などから構成される。
【００１６】
本実施例の調律器２は、基本周期抽出部１０とピッチ誤差算出部２０と表示制御部３０と表示処理部４０と発光素子５０を備える。表示制御部３０は、低状態表示手段３１と高状態表示手段３２と一致状態表示手段３３を備える。表示処理部４０は、メーター表示手段４１とストロボ表示手段４２を備える。発光素子５０は、第１の方向から第１の方向とは反対方向の第２の方向へ一列に配列されたｍ＋１個のＬＥＤ５１０〜ＬＥＤ５１ｍを備える。
【００１７】
以下、実際に行われる手続きの順に説明してゆく。楽器１により演奏された音は、例えばマイクロホンまたは電気弦楽器に用いられるピックアップ等により楽音信号に変換され、入力端子を介して調律器２へ入力される。
【００１８】
基本周期抽出部１０は、調律器２に入力された楽音信号の基本周期を抽出する。基本周期とは、楽音に含まれる信号の中の最も周期が長い基本波成分の周期である。ピッチ誤差算出部２０は、予め定められている標準周期と基本周期抽出部１０の抽出した基本周期とを比較し、入力中の楽音信号のピッチ誤差を算出する。基本周期の抽出方法およびピッチ誤差の算出方法は周知のいかなる方法をも適用することができる。例えば、「特開２００３−０９９０３４号公報」に記載の方法を適用することができる。ピッチ誤差算出部２０の算出したピッチ誤差は、表示制御部３０に入力される。
【００１９】
表示制御部３０は、基本周期抽出部１０の検出した基本周期が予め定められている標準周期より長いことを検出した場合には、低状態表示手段３１を実行させる。基本周期抽出部１０の検出した基本周期が予め定められている標準周期より短いことを検出した場合には、高状態表示手段３２を実行させる。基本周期抽出部１０の検出した基本周期が予め定められている標準周期と等しいことを検出した場合には、一致状態表示手段３３を実行させる。
【００２０】
低状態表示手段３１は、ピッチ誤差算出部２０の算出したピッチ誤差を、表示処理部４０を制御することにより、発光素子５０に表示する。まず、低状態表示手段３１は発光素子５０の中央のＬＥＤ５１０を発光させる。次に、発光素子５０の中央のＬＥＤ５１０より第２の方向側において、メーター表示手段４１の発光位置を発光させる。そして、発光素子５０の中央のＬＥＤ５１０より第１の方向側において、ストロボ表示手段４２の発光位置を発光させる。
【００２１】
図２（Ａ）に、調律器２が入力された楽音信号のピッチが標準よりも低い状態を表示する方法の一例を示す。ここでは、第１の方向は右方向であり、第２の方向は左方向である。発光素子５０の中央のＬＥＤ５１０をピッチ誤差０セントの位置とし、左端のＬＥＤ５１１はピッチ誤差−５０セントの位置とする。メーター表示手段４１は、中央のＬＥＤ５１０から左方向へ発光位置を順次移動させ、発光位置と中央のＬＥＤ５１０との間隔がピッチ誤差算出部２０の算出するピッチ誤差に達した状態で発光位置を停止させる。ストロボ表示手段４２は、右端のＬＥＤ５１ｍから中央のＬＥＤ５１０へ発光位置を順次移動させ、発光位置が中央のＬＥＤ５１０へ到達した後は発光位置を右端のＬＥＤ５１ｍへ戻し、再度右端のＬＥＤ５１ｍから中央のＬＥＤ５１０へ発光位置を順次移動させる。このとき、ピッチ誤差算出部２０の算出するピッチ誤差の絶対値が大きいほど発光位置の移動速度が早くなるように制御する。発光位置の移動速度の制御方法は、周知のいかなる方法を用いてもよく、例えば、特許文献３に記載された発光位置の移動速度の制御方法を利用することができる。
【００２２】
高状態表示手段３２は、ピッチ誤差算出部２０の算出したピッチ誤差を、表示処理部４０を制御することにより、発光素子５０に表示する。まず、高状態表示手段３２は発光素子５０の中央のＬＥＤ５１０を発光させる。次に、発光素子５０の中央のＬＥＤ５１０より第１の方向側において、メーター表示手段４１の発光位置を発光させる。そして、発光素子５０の中央のＬＥＤ５１０より第２の方向側において、ストロボ表示手段４２の発光位置を発光させる。
【００２３】
図２（Ｂ）に、調律器２が入力された楽音信号のピッチが標準よりも高い状態を表示する方法の一例を示す。発光素子５０の中央のＬＥＤ５１０をピッチ誤差０セントの位置とし、右端のＬＥＤ５１ｍはピッチ誤差＋５０セントの位置とする。メーター表示手段４１は、中央のＬＥＤ５１０から右方向へ発光位置を順次移動させ、発光位置と中央のＬＥＤ５１０との間隔がピッチ誤差算出部２０の算出するピッチ誤差に達した状態で発光位置を停止させる。ストロボ表示手段４２は、左端のＬＥＤ５１１から中央のＬＥＤ５１０へ発光位置を順次移動させ、発光位置が中央のＬＥＤ５１０へ到達した後は発光位置を左端のＬＥＤ５１１へ戻し、再度左端のＬＥＤ５１１から中央のＬＥＤ５１０へ発光位置を順次移動させる。このとき、ピッチ誤差算出部２０の算出するピッチ誤差の絶対値が大きいほど発光位置の移動速度が早くなるように制御する。
【００２４】
一致状態表示手段３３は、ピッチ誤差算出部２０の算出したピッチ誤差が０セントであることを、表示処理部４０を制御することにより、発光素子５０に表示する。まず、一致状態表示手段３３は発光素子５０の中央のＬＥＤ５１０を発光させる。低状態表示手段３１が直前に実行されていた場合には、発光素子５０の中央のＬＥＤ５１０より第２の方向側において、ストロボ表示手段４２の発光位置を直前の発光位置から中央のＬＥＤ５１０の方向へ順次移動させる。高状態表示手段３２が直前に実行されていた場合には、発光素子５０の中央のＬＥＤ５１０より第１の方向側において、ストロボ表示手段４２の発光位置を直前の発光位置から中央のＬＥＤ５１０の方向へ順次移動させる。いずれの場合においても、ストロボ表示手段４２の発光位置が中央のＬＥＤ５１０へ達した状態で停止させる。
【００２５】
図２（Ｃ）に、調律器２が入力された楽音信号のピッチが標準と一致している状態を表示する方法の一例を示す。メーター表示手段４１は、中央のＬＥＤ５１０を発光させる。ストロボ表示手段４２は、一致状態表示手段３３が実行される直前の発光位置から中央のＬＥＤ５１０の方向へ発光位置を順次移動させる。したがって、低状態表示手段３１が直前に実行されていた場合には、中央のＬＥＤ５１０より右側から左方向へ発光位置が移動する。高状態表示手段３２が直前に実行されていた場合には、中央のＬＥＤ５１０より左側から右方向へ発光位置が移動する。発光位置が中央のＬＥＤ５１０へ達した状態で発光位置を停止させる。
【００２６】
このように、本発明の調律器によれば、一列に配列された一本のＬＥＤ列を用いて、メーター表示とストロボ表示の両方を同時に表示することができる。利用者は目的とする奏法で必要とする調律精度や自分にとっての使いやすさ等を基準にいずれの表示を見ながらでも調律を行うこともできる。もしくは、メーター表示の方に注目しながら大まかに調律を合わせ、ストロボ表示の方に注目してより精度よく調律を合わせるようにすることもできる。本発明の調律器は必要とする発光素子が一本でよいので部品点数を削減することができる。そのため、調律器を小型化することができ、メーター表示とストロボ表示の両方を同時に表示する調律器を安価に実現することが可能となる。
【００２７】
［変形例］
図３を参照して、本発明の変形例の調律器２’の動作を詳細に説明する。図３は本変形例の調律器２’の構成を示すブロック図である。調律器２’は、調律器２と同様に、マイクロコンピュータなどから構成される。
【００２８】
本変形例の調律器２’は、基本周期抽出部１０とピッチ誤差算出部２０と表示制御部３０と表示処理部４０’と発光素子５０’を備える。表示処理部４０’は、メーター表示手段４１’とストロボ表示手段４２’を備える。発光素子５０’は、第１の方向から第１の方向とは反対方向の第２の方向へ一列に配列されたｍ＋１個の多色ＬＥＤ５２０〜多色ＬＥＤ５２ｍを備える。多色ＬＥＤ５２０〜多色ＬＥＤ５２ｍは２種以上の任意の色で発光可能な発光素子である。以下では、発光素子５０’が発光可能な２種の色を第１の色と第２の色として説明する。第１の色と第２の色はＬＥＤにより発光可能な２色であればいかなる色を用いてもよいが、判別しやすいように近くない色であることが望ましい。例えば第１の色は赤とし、第２の色は青とすることができる。
【００２９】
以下、実際に行われる手続きの順に説明してゆく。基本周期抽出部１０は、調律器２に入力された楽音信号の基本周期を抽出する。ピッチ誤差算出部２０は、予め定められている標準周期と基本周期抽出部１０の抽出した基本周期とを比較し、入力中の楽音信号のピッチ誤差を算出する。表示制御部３０は、基本周期抽出部１０の検出した基本周期が予め定められている標準周期より長いことを検出した場合には、低状態表示手段３１を実行させる。基本周期抽出部１０の検出した基本周期が予め定められている標準周期より短いことを検出した場合には、高状態表示手段３２を実行させる。基本周期抽出部１０の検出した基本周期が予め定められている標準周期と等しいことを検出した場合には、一致状態表示手段３３を実行させる。
【００３０】
低状態表示手段３１は、ピッチ誤差算出部２０の算出したピッチ誤差を、表示処理部４０’を制御することにより、発光素子５０’に表示する。まず、低状態表示手段３１は発光素子５０’の中央の多色ＬＥＤ５２０を第１の色で発光させる。次に、発光素子５０’の中央の多色ＬＥＤ５２０より第２の方向側において、メーター表示手段４１’の発光位置を第１の色で発光させる。そして、発光素子５０’の中央の多色ＬＥＤ５２０より第１の方向側において、ストロボ表示手段４２’の発光位置を第２の色で発光させる。
【００３１】
例えば、実施例１と同様に、第１の方向は右方向であり、第２の方向は左方向であるとする。発光素子５０’の中央の多色ＬＥＤ５２０をピッチ誤差０セントの位置とし、左端の多色ＬＥＤ５２１はピッチ誤差−５０セントの位置とする。メーター表示手段４１’は、中央の多色ＬＥＤ５２０から左方向へ発光位置を順次移動させ、発光位置と中央の多色ＬＥＤ５２０との間隔がピッチ誤差算出部２０の算出するピッチ誤差に達した状態で発光位置を停止させる。ストロボ表示手段４２’は、右端の多色ＬＥＤ５２ｍから中央の多色ＬＥＤ５２０へ発光位置を順次移動させ、発光位置が中央の多色ＬＥＤ５２０へ到達した後は発光位置を右端の多色ＬＥＤ５２ｍへ戻し、再度右端の多色ＬＥＤ５２ｍから中央の多色ＬＥＤ５２０へ発光位置を順次移動させる。このとき、ピッチ誤差算出部２０の算出するピッチ誤差の絶対値が大きいほど発光位置の移動速度が早くなるように制御する。発光位置の移動速度の制御方法は、周知のいかなる方法を用いてもよく、例えば、特許文献３に記載された発光位置の移動速度の制御方法を利用することができる。
【００３２】
高状態表示手段３２は、ピッチ誤差算出部２０の算出したピッチ誤差を、表示処理部４０’を制御することにより、発光素子５０’に表示する。まず、高状態表示手段３２は発光素子５０’の中央の多色ＬＥＤ５２０を第１の色で発光させる。次に、発光素子５０’の中央の多色ＬＥＤ５２０より第１の方向側において、メーター表示手段４１’の発光位置を第１の色で発光させる。そして、発光素子５０’の中央の多色ＬＥＤ５２０より第２の方向側において、ストロボ表示手段４２’の発光位置を第２の色で発光させる。
【００３３】
例えば、メーター表示手段４１’は、中央の多色ＬＥＤ５２０から右方向へ発光位置を順次移動させ、発光位置と中央の多色ＬＥＤ５２０との間隔がピッチ誤差算出部２０の算出するピッチ誤差に達した状態で発光位置を停止させる。ストロボ表示手段４２’は、左端の多色ＬＥＤ５２１から中央の多色ＬＥＤ５２０へ発光位置を順次移動させ、発光位置が中央の多色ＬＥＤ５２０へ到達した後は発光位置を左端の多色ＬＥＤ５２１へ戻し、再度左端の多色ＬＥＤ５２１から中央の多色ＬＥＤ５２０へ発光位置を順次移動させる。このとき、ピッチ誤差算出部２０の算出するピッチ誤差の絶対値が大きいほど発光位置の移動速度が早くなるように制御する。
【００３４】
一致状態表示手段３３は、ピッチ誤差算出部２０の算出したピッチ誤差が０セントであることを、表示処理部４０’を制御することにより、発光素子５０’に表示する。まず、一致状態表示手段３３は発光素子５０’の中央の多色ＬＥＤ５２０を第１の色で発光させる。低状態表示手段３１が直前に実行されていた場合には、発光素子５０’の中央の多色ＬＥＤ５２０より第２の方向側において、ストロボ表示手段４２’の発光位置を直前の発光位置において第２の色で発光させ、中央の多色ＬＥＤ５２０の方向へ順次移動させる。高状態表示手段３２が直前に実行されていた場合には、発光素子５０’の中央の多色ＬＥＤ５２０より第１の方向側において、ストロボ表示手段４２’の発光位置を直前の発光位置において第２の色で発光させ、中央の多色ＬＥＤ５２０の方向へ順次移動させる。いずれの場合においても、ストロボ表示手段４２’の発光位置が中央の多色ＬＥＤ５２０へ達した状態で停止させる。この際、中央の多色ＬＥＤ５２０の発光色は、第１の色、第２の色、第１の色と第２の色の混色のいずれで発光させてもよい。
【００３５】
なお、本変形例では、少なくとも第１の色と、第１の色とは異なる第２の色で発光可能な多色ＬＥＤを一列に配列するように構成した例を用いて説明したが、例えば、第１の色で発光する単色ＬＥＤと第２の色で発光する単色ＬＥＤをそれぞれ一列に隣接するように配列し、例えば、メーター表示手段４１’は第１の色で発光する単色ＬＥＤを発光させ、ストロボ表示手段４２’は第２の色で発光する単色ＬＥＤを発光させるように構成してもよい。
【００３６】
このように、本変形例の調律器によれば、メーター表示とストロボ表示がそれぞれ異なる色により発光するため、いずれの発光位置がメーター表示であり、いずれの発光位置がストロボ表示であるかを容易に区別することができ、視認性を向上することができる。例えば、ピッチ誤差がわずかでありストロボ表示の移動速度が遅い状態などでは、周波数が高い方にずれているのか低い方にずれているのかを判別するときに有用である。
【産業上の利用可能性】
【００３７】
この発明はギターやベース等の弦楽器の調律に利用することができる。
【符号の説明】
【００３８】
１  楽器
２，２’  調律器
１０  基本周期抽出部
２０  ピッチ誤差表示部
３０  表示制御部
３１  低状態表示手段
３２  高状態表示手段
３３  一致状態表示手段
４０，４０’  表示処理部
４１，４１’  メーター表示手段
４２，４２’  ストロボ表示手段
５０，５０’  発光素子
５１  ＬＥＤ
５２  多色ＬＥＤ
【図１】
0005768269.tif 000002
【図２】
0005768269.tif 000003
【図３】
0005768269.tif 000004